(57)【要約】【課題】  机上において文具類や小物類を単品毎に整理収納する事ができ、構造上簡単で又安価であり、同時に多様なインテリア機能を有する小物類収納具を提供することにある。【解決手段】  水平方向に９０度未満の角度を以て立設する板状部材に貫通孔を設け、文具小物類は貫通孔に挿通されて、板状部材に接合された中空容器に包摂把持された状態となって収納される。【選択図】図１
2014076644.tif 000002
【特許請求の範囲】
【請求項１】
文具、雑貨品等の小物類を収納するための収納具であって、当該収納具は、水平方向に対して９０度未満の角度をもって立設する板状部材を具備し、前記小物類は、前記板状部材の平面部を穿孔した貫通孔に挿通されて収納され、当該板状部材に形成された貫通孔の鉛直方向面の孔周縁部には、当該小物類を包摂する中空容器の開口面が接合されて、当該中空容器内に前記小物類が挿入把持されていることを特徴とする小物類収納具。
【請求項２】
前記板状部材を複数連ね、多面体を形成した請求項１に記載の小物類収納具。
【発明の詳細な説明】
【技術分野】
【０００１】  本発明は、文具類や日用雑類等の小物類を整理収納するための収納具に関し、より詳しくは、机上において前記小物類を単品毎に、簡易に整理収納することが可能であり、同時に多様なインテリア機能を有する小物類収納具に関するものである。
【背景技術】
【０００２】  机上において、文具類や日曜雑貨類等の小物類を単品毎に整理収納するための収納具に関しては、従来のポット型容器を改良する方法が種々提案されている。例えば特許文献１に見られるように、収納体の段数を上方に増やして小物類を個別に収納する方法や、特許文献２に見られるように、コイルバネを用いた方法等が提案されている。しかしこれらは、いづれも構造が複雑である。一方従来のポット型容器ではなく、平面を利用して小物類を単品毎に収納する方法として、特許文献３のような収納ケースが提案されているが、文具等の小物類が外側に収納されるため、必然的にケースの平面面積が増えてしまい、机上での収納には適さない。又特許文献４では、台板に群設された円筒孔に、突起を有した収納支持具を収納する方法が提案されているが、この方法も、収納支持具と小物類全体が外側に配置されるため、机上での美感の点で問題がある。一方、特許文献５，６では、板状部材の平面部を穿孔した貫通孔に文具類を挿入して収納する、ペンスタンドが提供されているが、文具類を包摂、把持する治具を備えていないため、収納具として不安定な面があった。
【先行技術文献】
【０００３】
【特許文献１】実開  昭６３−１２１５８４号広報
【特許文献２】特開  ２００７−７６３５３号広報
【特許文献３】実登  ３０９４９７１号広報
【特許文献４】特開  ２０１２ー６２１１５号広報
【特許文献５】意願  昭４４−４０１２７号広報
【特許文献６】意願  昭５８−４３５８６号広報
【発明の概要】
【発明が解決しようとする課題】
【０００４】  以上のように、机上において小物類を単品毎に整理収納するための収納具に関しては、従来のポット型の改良では構造が複雑となり、又一方平面を利用した方法では、机上に置くには適さないものであった。
そこで本発明の課題は、机上において文具類や日用雑貨類等の小物類を単品毎に整理収納することができ、構造上簡便で又安価であり、同時に多様なインテリア機能を有する小物類収納具を提供することにある。
【課題を解決するための手段】
【０００５】  上記課題を解決すべく、本発明者は下記の収納具を提供する。即ち、文具、雑貨品等の小物類を収納するための収納具であって、当該収納具は、水平方向に対して９０度未満の角度を持って立設する板状部材を具備し、前記小物類は、前記板状部材の平面部を穿孔した貫通孔に挿通されて収納され、当該板状部材に形成された貫通孔の鉛直方向面の孔周縁部には、当該小物類を包摂する中空容器の開口面が接合されて、当該中空容器内に前記小物類が挿入把持されていることを特徴とする小物類収納具を提供する。
又上記課題を解決すべく、前記板状部材を複数連ね、多面体を形成した小物類収納具を併せてて提供する。
本収納具によれば、小物類は立設する板状部材の鉛直方向面、即ち板状部材と相対した場合の反対面側の孔周縁部に接合された中空容器に収納されるため、外観上簡素な収納状態となる。又板状部材の表面部は、各種表示体が付設されることで、多様なインテリア機能を発揮することが出来る。
【発明を実施するための第一の実施の形態】
【０００６】  以下本発明を実施するにあたり、第一の実施の形態を図によって説明する。図１は本発明の全体図、斜視図であり、図２はそれを側面から見た図である。（１）は板状部材で、その材質はアクリル、塩ビ、ポリエステル等の各種プラスチック材料、木材、紙等のセルロース複合材料、あるいは鉄、銅、アルミ等の金属材料、ガラス系材料、セラミックス系材料、ゴム系材料、もしくは上記各材料の複合品等から選択するが、部材の自立性や美観、加工性、価格等を勘案すると、市販のプラスチック板や金属板から選択されることが好ましい。  又板状部材の形状としては、平面部材や曲率を有する平面状部材、あるいは当該部材表面部にパンチングメタル形状や凹凸形状等が形成されたものや、又当該部材表面部に絵や文字が印刷されたり、電子的手法により絵や文字が現れる表示体等が付設されたもの等、あるいは又当該部材表面部に小物類を引っ掛けるためのフック類や、容器類が付設されたもの、あるいは又当該部材表面部にＳ字フック等を掛けるための孔が開けられたもの等が使用されるが、そのいづれかに限定されるものではない。板の厚みは特に限定されるものではなく、０．５ｍｍ位から数十ｍｍまでの範囲で選択されるが、板の自立性や加工性、価格等を勘案すると、１ｍｍ位から５ｍｍ位の間で選択されることが好ましい。又板状部材の幾何学形状は、矩形、円形、三角形等特定の幾何学形状に特に限定されることはなく、任意の形状が可能であるが、加工性等を勘案すると、矩形であることが好ましい。板状部材の大きさは、使用される条件で適宜決定されるが、机上に置いて使用することを考えると、好ましくは横５０位ｍｍ〜１０００ｍｍ位、より好ましくは、１００ｍｍ位〜３００ｍｍ位の範囲で選択する。
板状部材が水平方向に対して立設する角度は、９０度未満であれば良いが、この角度が大きい程、机上での収納具の占有面積は小さくでき、角度が小さい程、机上での占有面積は大きくなる。机上での占有面積を小さくするため、立設角度は大きい方が望ましいが、一方角度が大きすぎると、後述するように小物類を収納する貫通孔も大きくなりすぎ、収納具に適さなくなる。従って本角度は、収納具としてのバランスを勘案すると、４５度〜９０度未満であることが好ましく、６０度位から８０度位がより好ましい。
（２）は前記板状部材の平面部に穿孔された貫通孔であり、この孔を挿通して小物類等が収納される。孔の形状、サイズは、円形、矩形、三角形等特に限定されるものではなく、挿通する小物類の形状等により決定されるが、前記板状部材が立設して水平方向に相対する角度と、当該板状部材に接合される、後述する（３）の中空容器の接合角度により、自ずから決定される要素を含んでいる。（３）は小物類等を包摂、把持する中空容器であり、想定される小物類を包摂、把持できるものであれば、その材質、形状は特に限定されるものではない。材質としては、（１）の板状部材と同様の基準で選択され、形状としては有底円筒型、有底方形型、一端が開口された紡錘型、袋状等が好ましく、市販のプラスチックパイプや金属パイプ等の一端に有底処理をし、他端を開口したものがより好ましい。
（４）、（４｀）、（５）、（６）は板状部材を支持するための側板、底板、背板、即ち板状部材の支持具であり、支持具自体が板状であったり、棒状であったりして、板状部材に接合され、収納具の転倒を防ぐ役割を果たしている。この支持具の形状と、板状部材への接合位置は、、板状部材（１）の大きさや、水平方向との角度、収納する小物類の数と重量等を勘案して適宜選択される。即ち、（４）、（４｀）（５）、（６）のそれぞれ単独のみで板状部材を支持しても良く、又それらを適宜組み合わせて支持具としても良い。
次ぎに小物類を包摂、把持する中空容器の大きさと、板状部材への接合角度、板状部材の穿孔形状、及び板状部材が水平方向に対して立設する角度について、図３により説明する。図３は、板状部材（１）の水平方向に対する立設角度（ａ）を８０度とし、支持具（４）は、板状部材に対して上方で角度（ｂ）３０度、机上面で角度（ａ）８０度、（ｃ）７０度で設置され、中空容器は直径Ｌの円筒形である場合の、本収納具の模式図、側面図である。中空容器は、（３）｀のように板状部材に対して直角に接合することも可能であるが、そうすると支持具（４）からはみ出してしまい、美感上も問題がある。そのため（３）のように、（４）と略同一角度をもって板状部材に接合されていることが好ましい。この場合、収納する小物類が円筒形と仮定し、その直径が中空容器の直径Ｌと略同一以下とすると、穿孔された貫通孔（２）の天地方法開口幅は、略２Ｌ必要となる。従って、板状部材の水平方向に対する立設角度は、大きければ大きい程机上での占有面積は小さくなり、機能的には優れたものになるが、中空容器を美感を損ねることなく接合し、貫通孔の天地方向開口幅を最小限に抑えて、板状部材の平面部における貫通孔の数量を確保するためには、６０度位から８０度位が適当である。
【実施例】
【０００７】  次ぎに実施例を図４により説明する。図４は、第一の形態の実用的実施例で、板状部材のサイズは、１５０Ｘ２５０ｍｍ、水平方向の立設角度は８０度である。板状部材と中空容器、及び支持具（共に図示せず）は、市販のアクリル樹脂製部材を使用している。
（７）は、時計及び温湿度計のデジタル表示体を板状部材に貼り付けた状態であり、（８）はフックを板状部材に貼り付けスケールをフックに掛けた状態、又（９）は小物入れを同じく板状部材に貼り付け、ピンセットを収納した状態を表す。
【発明を実施するための第２の実施の形態】
【０００８】  次ぎに本発明を実施するための第２の実施の形態について、図５により説明する。
図５は第２の実施形態の一例を表す模式図、略図であり、板状部材が２枚連なった例を表す。（１０）、（１１）は板状部材を表し、（１２）、（１３）は、小物類が挿通される穿孔孔を表す。小物類を包摂把持するための中空容器や、板状部材の支持具は図示していない。
板状部材は、互いに接した状態で自立しても良いし、又互いに接することなく、例えば底板や天板で張り合わされて自立しても良い。２枚の板状部材の全てに貫通孔を開けても良いが、中空容器同士が接触、阻害しないよう注意する必要がある。
板状部材が３枚以上連なった場合も、実施形態は上記と同様に可能である。
【発明の効果】
【０００９】  本発明による収納具を使用することで、日常良く使う文具類や小物類を単品毎に収納でき、利便性が高まる。又各種表示体を収納具に付設することで、インテリア用品としての機能を発揮することができ、机上が整理整頓され、美観を高めることが出来る。
【図面の簡単な説明】
【００１０】
【図１】第一の実施の形態にかかる全体図、斜視図
【図２】第一の実施の形態にかかる側面図
【図３】中空容器の取り付け角度を比較する側面図
【図４】第一の実施の形態にかかる実施例の図
【図５】第二の実施の形態にかかる模式図、略図
【符号の説明】
【００１１】  １  板状部材
２  貫通孔
３  中空容器
３｀中空容器
４  側板支持具
４｀側板支持具
５  底板支持具
６  背板支持具
７  デジタル時計・温湿度計
８  フック
９  小物入れ容器
１０  板状部材
１１  板状部材
１２  貫通孔
１３  貫通孔
【図１】
2014076644.tif 000003
【図２】
2014076644.tif 000004
【図３】
2014076644.tif 000005
【図４】
2014076644.tif 000006
【図５】
2014076644.tif 000007